(57)【要約】【課題】入力されたシート情報や穿孔情報に基づいて，穿孔位置の変更が可能な穿孔装置を提供することにある。【解決手段】シート搬送手段と，上記シート搬送手段により搬送されたシート上に孔を形成する穿孔手段とを備えてなる穿孔装置であって，上記シートのサイズに関するシート情報及び上記シートに形成される孔の位置及び数に関する穿孔情報を入力する操作入力手段と，上記操作入力手段により入力された上記シート情報に基づいてシート搬送量を制御すると共に，上記操作入力手段により入力された上記穿孔情報に基づいて上記穿孔手段による上記シートの穿孔動作を制御する制御手段とを有してなることを特徴とする穿孔装置として構成されている。【選択図】図１
2007118121.tif 000002
【特許請求の範囲】
【請求項１】
シートを搬送するシート搬送手段と，上記シート搬送手段により搬送されたシート上に少なくとも２以上の孔を形成する穿孔手段とを備えてなる穿孔装置であって，
上記シートのサイズに関するシート情報及び上記シートに形成される孔の位置及び数に関する穿孔情報を入力する操作入力手段と，上記操作入力手段により入力された上記シート情報に基づいて上記シート搬送手段による上記シートの搬送及び停止に関するシート搬送量を制御すると共に，上記操作入力手段により入力された上記穿孔情報に基づいて上記穿孔手段による上記シートの穿孔動作を制御する制御手段と，を具備してなることを特徴とする穿孔装置。
【請求項２】
上記シート搬送手段が，上記シートを搬送する搬送ローラと，上記搬送ローラを駆動するステッピングモータを含むものであって，上記制御手段が，上記ステッピングモータに入力する信号を制御するものである請求項１に記載の穿孔装置。
【請求項３】
上記シート情報とそれに対応する１又は複数の穿孔情報との組み合わせを記憶する記憶手段を更に備えてなり，上記操作入力手段による穿孔情報の入力が，上記記憶手段に記憶された上記組み合わせを選択するものである請求項１又は２のいずれかに記載の穿孔装置。
【請求項４】
上記シート情報に応じて，上記穿孔手段を移動させる移動手段を更に備えてなる請求項１〜３のいずれかに記載の穿孔装置。
【請求項５】
上記移動手段が，上記穿孔手段を上記シート面に平行な面内で回動させるものである請求項４に記載の穿孔装置。
【請求項６】
上記制御手段が，上記穿孔手段の回動位置に応じて，上記穿孔手段により最初に穿孔される位置までのシート搬送量を変更するものである請求項５に記載の穿孔装置。
【請求項７】
上記移動手段が，上記穿孔手段をシート搬送方向に対して垂直方向に移動させるものである請求項４に記載の穿孔装置。
【請求項８】
上記シートのサイズに関するシート情報が，シートの種類及び／又はシートの向きを含むものである請求項１〜７のいずれかに記載の穿孔装置。
【発明の詳細な説明】
【技術分野】
【０００１】
本発明は，穿孔装置に関し，特に，シート搬送量と穿孔動作を制御する制御手段を有する穿孔装置に関するものである。
【背景技術】
【０００２】
従来，手動式或いは電動式の穿孔装置では，シート上の穿孔を希望する位置に穿孔するために，シートの種類や穿孔位置に合わせてシートや穿孔手段が自動で移動されることがなかったため，利用者自らが正確にシートを載置しなければならず，手間が煩雑であるという問題があった。
特許文献１に記載されている穿孔装置は，シート端縁検出センサとパンチ孔検出センサと穿孔部材とシートガイドが備えられ，シート端縁検出センサによるシート前端縁の位置検出に応じて上記穿孔部材を作動させてシート上に第１のパンチ孔を形成すると共に，上記パンチ孔検出センサによる上記第１のパンチ孔の検出に応じて穿孔間隔を隔てて第２のパンチ孔を形成するような構成となっており，予め設定された穿孔位置に，確実に穿孔することが可能である。
【特許文献１】特開平４−１０５８９５号公報
【発明の開示】
【発明が解決しようとする課題】
【０００３】
しかしながら，特許文献１に記載の穿孔装置は，Ａ４，Ｂ５などといったシートの種類や孔の間隔，個数に応じてセンサの数や取り付け位置を変更しなければならず，コストと手間がかかるという問題点があった。
従って，本発明は上記事情に鑑みてなされたものであり，その目的とするところは，入力されたシート情報や穿孔情報に基づいて，穿孔位置の変更を簡単に行いうる穿孔装置を提供することにある。
【課題を解決するための手段】
【０００４】
上記目的を達成するために本発明は，シートを搬送するシート搬送手段と，上記シート搬送手段により搬送されたシート上に少なくとも２以上の孔を形成する穿孔手段とを備えてなる穿孔装置であって，上記シートのサイズに関するシート情報及び上記シートに形成される孔の位置及び数に関する穿孔情報を入力する操作入力手段と，上記操作入力手段により入力された上記シート情報に基づいて上記シート搬送手段による上記シートの搬送及び停止に関するシート搬送量を制御すると共に，上記操作入力手段により入力された上記穿孔情報に基づいて上記穿孔手段による上記シートの穿孔動作を制御する制御手段とを有してなることを特徴とする穿孔装置として構成されている。
このように，シートの種類や孔の間隔，個数を変更するたびに利用者が穿孔装置に設けられた穿孔手段などの各部品の位置やシートの載置位置を変更しなくても，シート情報や穿孔情報を入力するだけで，入力されたシート情報や穿孔情報に基づいて，すなわちシートの種類や穿孔位置に合わせて，シートや穿孔手段が移動されることによって，穿孔位置の変更を簡単に行いうる穿孔装置を提供することができる。
具体的には，上記シート搬送手段は，上記シートを搬送する搬送ローラと，上記搬送ローラを駆動するステッピングモータを含むものにより実行され，上記制御手段が，上記ステッピングモータに入力する信号を制御することが考えられる。
上記シート搬送手段としてステッピングモータを用いることにより，フィードバック制御を持たずに速度制御，位置制御を行うことができるためデジタル制御に適しており，角度誤差が少なく誤差が累積されないことから，精度の高い位置決めが可能であり，更に，モータ構造が簡単で，長寿命な穿孔装置を提供することができる。
このように構成されることによって，上記シート搬送方向に対して垂直方向の上記シートの端から穿孔位置までの距離を調節することができる。
また，上記シート情報とそれに対応する１又は複数の穿孔情報との組み合わせを記憶する記憶手段を更に備えてなり，上記操作入力手段による穿孔情報の入力が，上記記憶手段に記憶された上記組み合わせを選択する構成が考えられる。
このように構成されることによって，例えば，Ａ４縦方向に２つ穿孔する，Ｂ５横方向に６つ穿孔するなどといったシートの種類と方向，孔の位置と数の組み合わせを予め記憶することができ，利用者は上記組み合わせを選択するだけでよいので，上記利用者が上記穿孔装置を利用するたびにシートの種類と方向，孔の位置と数を入力する手間を省くことができる。
一方，上記シート情報に応じて，上記穿孔手段を移動させる移動手段を更に備えてなる構成が考えられる。
具体的には，上記移動手段が，上記穿孔手段を上記シート面に平行な面内で回動させるものであることが考えられる。
このように構成されることによって，シートの種類を変更するたびに利用者が穿孔装置に設けられた穿孔手段の位置やシートの載置位置を変更しなくても，シート情報を入力するだけで，入力されたシート情報に基づいて，すなわちシートの種類に合わせて，穿孔手段が移動され，穿孔位置の変更を簡単に行いうる。
上記穿孔手段が上記移動手段によって回動されることにより，上記シート搬送方向に対して平行な上記シートの端から穿孔位置までの距離を調節することができる。また，様々なシートの種類に対応して穿孔することが可能である。
この場合，上記制御手段が，上記穿孔手段の回動位置に応じて，上記穿孔手段により最初に穿孔される位置までのシート搬送量を変更するものであることが好ましい。
なぜなら，上記移動手段によって上記穿孔手段が移動されることにより，シート搬送量を制御するための基点から上記穿孔手段により穿孔される位置までの距離が異なるからである。
また，上記移動手段が，上記穿孔手段をシート搬送方向に対して垂直方向に移動させるものである構成が考えられる。
上記穿孔手段が上記移動手段によってシート搬送方向に対して垂直方向に移動されることにより，上記シート搬送方向に対して平行な上記シートの端から穿孔位置までの距離を調節することができる。また，様々なシートの種類に対応して穿孔することが可能である。
上記シートのサイズに関するシート情報が，シートの種類及び／又はシートの向きを含むものであることが考えられる。具体的には，Ａ４縦，Ａ４横，Ｂ５縦，Ｂ５横などである。
【発明の効果】
【０００５】
本発明によれば，入力されたシート情報や穿孔情報に基づいて，穿孔位置の変更を簡単に行いうる穿孔装置を提供することができる。
すなわち，シートや孔の位置を検出するセンサの数を変更することなく，利用者がシート情報や穿孔情報が入力するだけで，様々な種類のシートの任意の位置に穿孔が可能となる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る画像形成装置における穿孔装置Ｘ１の概略構成を示すブロック図，図２は本発明の実施の形態に係る穿孔装置Ｘ１の斜視図，図３は本発明の実施の形態に係る穿孔装置Ｘ１の概略平面図，図４は本発明の実施の形態に係る穿孔装置Ｘ１の断面図，図５は本発明の実施の形態に係る穿孔装置Ｘ１の穿孔部１８の移動前後の概略平面図，図６は本発明の実施の形態に係る穿孔装置Ｘ１の穿孔部１８の移動前後の斜視図，図７は本発明の実施の形態に係る穿孔装置Ｘ１に設けられた制御部１０により実行される穿孔処理の手順についてその一例を説明するためのフローチャート，図８は実施例に係る穿孔装置Ｘ２の穿孔部１１８の移動前後の概略平面図，図９は実施例に係る穿孔装置Ｘ２の穿孔部１１８の移動前後の斜視図である。
【０００７】
この実施形態では，画像形成装置に設けられており，画像形成後のシートＳに穿孔処理を行う穿孔装置Ｘ１が採用される。
まず，図１のブロック図，図２の斜視図を用いて，本発明の実施の形態に係る穿孔装置Ｘ１の概略構成について説明する。
【０００８】
上記穿孔装置Ｘ１は，図２において時計方向（矢印Ｐ２方向）に回転することにより上記画像形成装置から搬送された記録紙などのシートＳを搬送する搬送ローラ１１と，上記シートＳを介して上記搬送ローラ１１に圧接される搬送ローラ１２と，上記搬送ローラ１１と連動して時計方向（矢印Ｐ４方向）に回転することにより上記搬送ローラ１１と搬送ローラ１２により搬送された上記シートＳを搬送する搬送ローラ１３と，上記シートＳを介して上記搬送ローラ１３に圧接される搬送ローラ１４と，上記搬送ローラ１１と上記搬送ローラ１３に接しており，上記搬送ローラ１１が時計方向（矢印Ｐ２方向）に回転するのと同期して時計方向（矢印Ｐ６方向）に走行することにより，上記搬送ローラ１３を時計方向（矢印Ｐ４方向）に回転させるベルト１５と，上記搬送ローラ１１を回転させるステッピングモータ１６と，上記搬送ローラ１１の近傍に設けられ，上記搬送ローラ１１と上記搬送ローラ１２により搬送された上記シートＳの端を検知するシート検知センサ１７と，上記シート検知センサ１７と上記搬送ローラ１３の間に設けられ，上記搬送ローラ１１と上記搬送ローラ１２により搬送された上記シートＳに穿孔する穿孔部１８と，上記穿孔部１８を回動させることにより移動させる移動部１９と，利用者により，上記シートＳのサイズに関するシート情報と，上記シートＳに形成される孔の位置及び数に関する穿孔情報が入力される操作入力部２０と，液晶モニタなどの表示部２１と，上記操作入力部２０により入力されたシート情報と穿孔情報などを記憶する記憶部２２と，これらを統括的に制御する制御部１０とを備えて構成されている。
【０００９】
上記シートＳは，当該画像形成装置に備えられている搬送手段により，図３において矢印Ｐ１方向に搬送される。
【００１０】
上記搬送ローラ１２は，上記搬送ローラ１１が時計方向（矢印Ｐ２方向）に回転するのと同期して反時計方向（矢印Ｐ３方向）に回転する。
上記搬送ローラ１１と上記搬送ローラ１２は，上記画像形成装置から搬送された上記シートＳを挟持し，回転，停止することにより，上記シートＳの搬送量を調節する。
【００１１】
上記搬送ローラ１４は，上記搬送ローラ１３が時計方向（矢印Ｐ４方向）に回転するのと同期して反時計方向（矢印Ｐ５方向）に回転する。
上記搬送ローラ１３と上記搬送ローラ１４は，上記搬送ローラ１１と上記搬送ローラ１２から搬送された上記シートＳを挟持し，上記搬送ローラ１１と同期して回転することにより上記シートＳを搬送する。
【００１２】
上記ステッピングモータ１６は，上記制御部１０からの駆動信号（モータ駆動電流）が入力されることにより回転するモータであり，上記搬送ローラ１１を回転させる。
このように，上記制御部１０は，上記ステッピングモータ１６に入力する信号を制御している。上記制御部１０は，上記ステッピングモータ１６に入力する信号を制御することにより，上記ステッピングモータ１６の回転が制御され，上記ステッピングモータ１６と同期して回転する上記搬送ローラ１１の回転が制御されることによって，上記搬送ローラ１１により搬送される上記シートＳの搬送量が制御される。
このように構成することによって，上記シート搬送方向（矢印Ｐ１方向）に対して垂直方向の上記シートＳの端から穿孔位置までの距離を調節することができる。
具体的には，上記ステッピンググモータ１６の回転角度は，下記のように計算される。
回転角度（度）＝基本ステップ角（度）×パルス数
上記基本ステップ角は，５相ステッピングモータの場合，０．７２度であり，ステッピングモータの種類によって異なる。
上記ステッピングモータの回転角度と，上記搬送ローラ１１の回転角度が同じであるような構成であれば，上記搬送ローラ１１による上記シートＳの搬送量は，
搬送量（ｃｍ）＝搬送ローラ１１の直径（ｃｍ）×円周率×回転角度（度）÷３６０
である。
ここで，上記搬送ローラ１１，上記搬送ローラ１２，上記搬送ローラ１３，上記搬送ローラ１４，上記ステッピングモータ１６が，本発明におけるシート搬送手段に相当する。
上記シート搬送手段としてステッピングモータ１６を用いることにより，フィードバック制御を持たずに速度制御，位置制御を行うことができるためデジタル制御に適しており，角度誤差が少なく誤差が累積されないことから，精度の高い位置決めが可能であり，更に，モータ構造が簡単で，長寿命な穿孔装置を提供することができる。
【００１３】
上記シート検知センサ１７は，上記搬送ローラ１１よりシート搬送方向（矢印Ｐ１方向）下流側で，上記穿孔部１８との間に設けられており，搬送された上記シートＳを検知する光センサなどである。
【００１４】
穿孔手段に相当する上記穿孔部１８には，パンチ駆動用カム１８ａとパンチ刃１８ｂと支持部１８ｃが備えられている。上記パンチ刃１８ｂは，円筒状の刃である。図４に示すように，上記パンチ駆動用カム１８ａの先端には上記パンチ刃１８ｂが設けられている。図２に示すように，上記支持部１８ｃは，上水平部，下水平部，垂直部からなる側面形状がコの字型であり，上記シートＳを挟持するための間隙が設けられている。上記支持部１８ｃの上水平部には上記パンチ刃１８ｂが設けられた上記パンチ駆動用カム１８ａが設けられている。上記制御部１０により，上記パンチ駆動用カム１８ａは，上記間隙を上記パンチ刃１８ｂが下降方向に移動するよう上記上水平部と上記下水平部に対して垂直方向（矢印Ｐ７方向）に動く。このように上記パンチ刃１８ｂが移動することにより，上記間隙に挟持された上記シートＳが穿孔される。
【００１５】
図５の平面図，図６の斜視図に示すように，上記移動部１９は，利用者により入力された上記シート情報に基づいて，上記穿孔部１８を上記シートＳ面に平行な面内で回動させるものである。ここでは，上記シートＳがＡ５縦で搬送された場合に穿孔する位置を上記穿孔部１８の位置Ａとし，位置Ａを初期位置とした場合を例にとって説明する。利用者により入力されたシート情報が，Ａ５縦であった場合は，上記穿孔部１８は初期位置Ａで穿孔動作が実行される。一方，利用者により入力されたシート情報が，Ａ４縦であった場合は，上記の入力されたシート情報（Ａ４縦）に基づいて，そのシートＳのサイズから，上記制御部１０は上記穿孔部１８の移動量を演算（或いはリストから読み取り）し，上記穿孔部１８を，上記移動部１９により反時計方向（矢印Ｐ８方向）に移動させ，位置Ｂで停止させた後に穿孔動作を実行する。また，さらに別の利用者により入力されたシート情報が，Ａ５縦であった場合にも，上記の入力されたシート情報（Ａ５縦）に基づいて，そのシートＳのサイズから，上記制御部１０は上記穿孔部１８の移動量を演算（或いはリストから読み取り）し，上記穿孔部１８を，上記移動部１９により時計方向（矢印Ｐ９方向）に回動することにより，初期位置Ａに移動させ，停止させた後に穿孔動作を実行する。
このように，シート情報を入力するだけで，上記穿孔部１８が上記移動部１９によって移動されることにより，上記シート搬送方向（矢印Ｐ１方向）に対して平行な上記シートＳの端から穿孔位置までの距離を調節することができる。
これにより，様々な種類のシートに応じて穿孔することができる。ここで，上記移動部１９は，シート情報に応じて穿孔手段を移動させる移動手段に相当する。
すなわち，上記移動部１９が利用者により入力された上記シート情報に基づいて上記穿孔部１８を上記シートＳ面に平行な面内で回動させることが，本発明における「上記移動手段が，上記穿孔手段を上記シート面に平行な面内で回動させる」ことに相当する処理である。
【００１６】
上記シート情報は，シートＳの種類やシートＳの向きを含むものである。具体的には，Ａ４縦，Ａ４横，Ｂ５縦，Ｂ５横などである。
上記穿孔情報は，シートＳに形成される孔の数，位置などである。
【００１７】
本発明の記憶手段に相当する上記記憶部２２は，Ａ４，Ａ５，Ｂ４，Ｂ５などといった上記シートＳの種類とそれに対応する寸法，縦，横といった上記シートＳの向きを含むシート情報及び，上記シートＳに形成される孔の数，位置などを含む穿孔情報の１又は複数の組み合わせを記憶するハードディスクやメモリなどである。また，上記組み合わせなどの種々のデータの他に，上記シート情報と穿孔情報に基づいて上記シートＳの搬送，停止に関するシート搬送量を計算するシート搬送量計算プログラムや，上記シート搬送量計算プログラムによって計算された上記シート搬送量に基づいてシート搬送に必要な上記搬送ローラ１１の回転量を計算し，計算された上記搬送ローラ１１の回転量に基づいて上記ステッピングモータ１６の回転量を計算し，計算された上記ステッピングモータ１６の回転量に基づいて上記ステッピングモータ１６の回転に必要なパルス数を計算するパルス数計算プログラムなどを含むプログラムも記憶されている。
【００１８】
上記表示部２１は，上記記憶部２２に格納された上記組み合わせや，装置に生じたエラーの有無などの各種の情報を表示する液晶ディスプレイ（ＬＣＤ）パネルなどで構成されており，上記操作入力部２０の近傍に配設されている。上記表示部２１は，該画像形成装置に備えられている画像処理を実行するための情報を表示する表示部と兼用でもかまわない。
【００１９】
操作入力手段に相当する上記操作入力部２０には，選択ボタン，決定を指示する決定ボタン，テンキーなどのボタンが備えられている。利用者は，上記操作入力部２０を操作することによって，上記表示部２１に表示された上記記憶部２２に記憶されている上記組み合わせを選択することにより，シート情報や穿孔情報を入力することができる。例えば，Ａ４縦方向に２つ穿孔する，Ｂ５横方向に６つ穿孔するなどといった上記シートＳの種類と方向（シート情報），孔の位置と数（穿孔情報）の組み合わせが予め記憶されているので，利用者は上記組み合わせを選択するだけでよく，上記利用者が上記穿孔装置Ｘ１を利用するたびに上記シートＳの種類と方向，孔の位置と数を入力する手間を省くことができる。また，希望する組み合わせが記憶されていない場合には，上記テンキーなどを操作することにより，シート情報や穿孔情報を入力することができる。
上記穿孔装置Ｘ１がシート情報と穿孔情報との組み合わせを記憶する上記記憶部２２を備えてなり利用者が上記操作入力部２０を操作することによって上記表示部２１に表示された上記記憶部２２に記憶されている上記組み合わせを選択することが，本発明における「シート情報とそれに対応する１又は複数の穿孔情報との組み合わせを記憶する記憶手段を備えてなり，操作入力手段による穿孔情報の入力が，上記記憶手段に記憶された上記組み合わせを選択するものである」ことに相当する処理である。
上記操作入力部２０は，該画像形成装置に備えられている画像処理を実行するための操作を行う操作入力部と兼用でもかまわない。
【００２０】
次に，図７のフローチャートに基づいて，上記穿孔装置Ｘ１の上記制御部１０によって実行される穿孔処理の手順についてその一例を説明する。ここで，上記制御部１０は，制御手段に相当する。
図中のＳ１０，Ｓ２０…は処理手順（ステップ）番号を示し，処理はステップＳ１０より開始される。
【００２１】
まず，ステップＳ１０では，上記制御部１０により，上記記憶部２２に記憶されているシート搬送量計算プログラムを使って，利用者によって上記操作入力部２０により入力されたシート情報（例えば上記シートＳの種類など）と穿孔情報の組み合わせに基づいて，シート搬送量が計算される。なお，上記穿孔部１８の回動位置に応じて，上記穿孔部１８により最初に穿孔される位置までのシート搬送量が変更されるようにプログラムされている。なぜなら，上記移動部１９によって上記穿孔部１８が移動されることにより，シート搬送量を制御するための基点となるシート検知センサ１７から上記穿孔部１８により穿孔される位置までの距離が異なるからである。具体例として，ここでは，上記シート情報をＡ４縦1枚，上記穿孔情報を２つの孔を形成，とする。これらの情報に基づいて上記制御部１０は，上記シートＳの端から第１の孔が形成される位置までのシート搬送量と，第１の孔が形成される位置から第２の孔が形成される位置までのシート搬送量を計算する。すなわち，上記制御部１０により上記記憶部２２に記憶されているパルス数計算プログラムを使って，上記計算されたシート搬送量に基づいて，上記シートＳに形成される孔の数だけパルス数が計算され，処理はステップＳ２０に移行する。計算されたパルス数をパルス数ｔ１とする。具体的には，第１の孔が形成される位置まで上記シートＳを移動するのに必要なパルス数と，第２の孔が形成される位置まで上記シートＳを移動するのに必要なパルス数である。
【００２２】
ステップＳ２０では，利用者によって上記操作入力部２０により入力されたシート情報に基づいて，上記制御部１０の指示により上記移動部１９が，上記穿孔部１８を上記シートＳ面に平行な面内で回動させる。上記穿孔部１８は，上記制御部１０の指示により上記移動部１９によって初期位置Ａから図５におけるＰ８方向に回動されることにより位置Ｂまで移動され，処理はステップＳ３０に移行する。
【００２３】
続いて，ステップＳ３０では，上記ステッピングモータ１６が，上記制御部１０により入力された信号（モータ駆動電流）により，回転する。上記ステッピングモータ１６は，回転することにより，上記搬送ローラ１１を回転させる。上記搬送ローラ１１が回転することにより，上記シートＳが搬送され，処理はステップＳ４０に移行する。
【００２４】
ステップＳ４０では，上記シート検知センサ１７により，上記シートＳの端が検出されたか否かが判断される。上記シートＳが搬送され，上記シート検知センサ１７により，上記シートＳの端が検出されれば（ステップＳ４０のＹｅｓ側），処理はステップＳ５０へ移行する。上記シートＳの端が検出されなければ（ステップＳ４０のＮｏ側），処理はステップＳ３０に戻る。
【００２５】
ステップＳ５０では，引き続き，上記ステッピングモータ１６は回転されており，上記ステッピングモータ１６と同期して上記搬送ローラ１１が回転し，上記シートＳが搬送されている。上記制御部１０により，現在のパルス数のカウントが開始され，処理はステップＳ６０に移行する。この処理でカウントされた現在のパルス数をパルス数ｔ２とする。
【００２６】
ステップＳ６０では，上記制御部１０により，現在のパルス数ｔ２が上記計算されたパルス数ｔ１と同じか否かが判断される。上記ステップＳ５０でカウントされた現在のパルス数ｔ２が，上記計算されたパルス数ｔ１と同じであれば（ステップＳ６０のＹｅｓ側），処理はステップＳ７０に移行する。上記ステップＳ５０でカウントされた現在のパルス数ｔ２が，上記計算されたパルス数ｔ１と異なれば（ステップＳ６０のＮｏ側），処理はステップＳ５０に戻る。
【００２７】
ステップＳ７０では，上記制御部１０の指示によって，上記ステッピングモータ１６の回転が停止することにより，上記搬送ローラ１１の回転が停止され，これにより上記シートＳの搬送が停止され，処理はステップＳ８０に移行する。
【００２８】
続いて，ステップＳ８０では，上記ステップＳ７０の処理で停止した上記シートＳに穿孔動作が実行される。具体的には，上記制御部１０により，上記穿孔部１８に備えられている上記パンチ駆動用カム１８ａが駆動し，上記間隙に挟持されたシートＳに対して垂直に上記パンチ刃１８ｂが下降方向に移動することにより，上記シートＳは穿孔され，処理はステップＳ９０に移行する。
【００２９】
ステップＳ９０では，上記制御部１０の指示によって，上記ステッピングモータ１６が回転することにより，上記搬送ローラ１１が回転し，再び上記シートＳが搬送され，処理はステップＳ１００に移行する。
【００３０】
ステップＳ１００では，上記シートＳに対するすべての穿孔処理が終了したか否かが判断される。上記制御部１０により，上記シートＳに対するすべての穿孔処理が終了したと判断されれば（ステップＳ１００のＹｅｓ側），処理はステップＳ１１０に移行する。上記シートＳに対するすべての処理が終了していないと判断されれば（ステップＳ１００のＮｏ側），上記パルス数ｔ１は次の孔を形成するために計算されたパルス数に変更され，処理はステップＳ５０に戻る。
【００３１】
ステップＳ１１０では，ＪＯＢが終了したか否かが判断される。ここで，上記ＪＯＢとは，同じ処理を１又は複数枚行うこととする。同じ処理とは，同じ寸法のシートに対し，穿孔する位置，数が同じことを指す。例えば「Ａ４縦のシート１枚に２つの孔を形成する」で１つのＪＯＢ，「Ａ５縦のシート３枚にそれぞれ２つの孔を形成する」で１つのＪＯＢである。上記制御部１０により，ＪＯＢが終了したと判断されれば（ステップＳ１１０のＹｅｓ側），処理はステップＳ１２０に移行する。ＪＯＢが終了していないと判断されれば（ステップＳ１１０のＮｏ側），処理はステップＳ３０に戻る。
【００３２】
ステップＳ１２０では，上記制御部１０の指示によって，上記シートＳは，上記搬送ローラ１３と上記搬送ローラ１４との間を通過し終わるのに必要な量だけ搬送された後，上記ステッピングモータ１６が停止することにより，上記搬送ローラ１１が停止し，上記シートＳの搬送が停止される。
【００３３】
上記ステップＳ６０や上記ステップＳ７０のように，上記制御部１０によって，上記操作入力部２０により入力されたシート情報に基づいて上記ステッピングモータ１６に入力する信号が制御されることにより，上記搬送ローラ１１の回転が制御され，上記搬送ローラ１１により搬送される上記シートＳの搬送量が制御されることが，本発明における「上記操作入力手段により入力された上記シート情報に基づいて上記シート搬送手段による上記シートの搬送及び停止に関するシート搬送量を制御する」ことに相当する処理である。
また，上記ステップＳ２０や上記ステップＳ８０のように，上記制御部１０によって，上記操作入力部２０により入力された穿孔情報に基づいて上記穿孔部１８による上記シートＳの穿孔動作が制御されることが，本発明における「上記操作入力手段により入力された上記穿孔情報に基づいて上記穿孔手段による上記シートの穿孔動作を制御する」ことに相当する処理である。
【００３４】
上記のように，シートＳの種類や孔の間隔，個数を変更するたびに利用者が穿孔装置に設けられた穿孔手段などの各部品の位置やシートＳの載置位置を変更しなくても，利用者は上記操作入力部２０からシート情報や穿孔情報を入力するだけで，上記入力されたシート情報や穿孔情報に基づいて，すなわち，シートＳの種類や穿孔位置にあわせて，上記制御部１０により上記ステッピングモータ１６に入力される信号が制御されることによって上記搬送ローラ１１により搬送される上記シートＳのシート搬送量を調節することができ，上記移動部１９により上記穿孔部１８が移動されることによってシート搬送方向に対して平行な上記シートＳの端から穿孔位置までの距離を調節することができるような構成によって，穿孔位置の変更を簡単に行うことができる穿孔装置を提供することができる。
【００３５】
なお，上記移動部１９により上記穿孔部１８が移動する例について説明したが，上記穿孔部１８は移動しない構成でもよい。ただしその場合は，上記シートＳを穿孔位置に合わせて搬送するような装置が必要である。
【実施例】
【００３６】
以下の実施例は，利用者により入力されたシート情報に基づいて，穿孔装置に備えられている穿孔部を，移動部によりシート搬送方向に対して垂直方向に移動させる例である。
まず，図８の平面図，図９の斜視図を用いて，この実施例に用いる穿孔装置Ｘ２について上記実施形態に係る穿孔装置Ｘ１との相違部分についてのみ説明する。
【００３７】
上記穿孔装置Ｘ２が上記穿孔装置Ｘ１と異なる点は，上記穿孔装置Ｘ１に設けられている上記移動部１０が利用者により入力された上記シート情報に基づいて上記穿孔部１８を上記シートＳ面に平行な面内で回動させるものであるのに対し，上記穿孔装置Ｘ２に設けられている移動部１１９は，利用者により入力された上記シート情報に基づいて，穿孔部１１８を図８におけるシート搬送方向（矢印Ｐ１０１方向）に対して垂直方向（矢印Ｐ１０８方向，矢印Ｐ１０９方向）に移動させるものである点である。ここでは，上記シートＳがＡ５縦で搬送された場合に穿孔する位置を上記穿孔部１１８の初期位置Ｃとした場合を例にとって説明する。利用者により入力されたシート情報が，Ａ５縦であった場合は，上記穿孔部１１８は初期位置Ｃで穿孔動作が実行される。一方，利用者により入力されたシート情報が，Ａ４縦であった場合は，上記の入力されたシート情報（Ａ４縦）に基づいて，そのシートＳのサイズから上記制御部１１０は上記穿孔部１１８の移動量を演算（或いはリストから読み取り）し，上記穿孔部１１８を，上記移動部１１９により図８におけるシート搬送方向（矢印Ｐ１０１方向）に対して垂直方向（矢印Ｐ１０８方向）に移動させ，位置Ｄで停止させた後に穿孔動作を実行する。また，さらに別の利用者により入力されたシート情報が，Ａ５縦であった場合にも，上記の入力されたシート情報（Ａ５縦）に基づいて，そのシートＳのサイズから上記制御部１１０は上記穿孔部１１８の移動量を演算（或いはリストから読み取り）し，上記穿孔部１１８を，上記移動部１１９により図８におけるシート搬送方向（矢印Ｐ１０１方向）に対して垂直方向（矢印Ｐ１０９方向）に移動させることにより，初期位置Ｃに戻す。
このように，シート情報を入力するだけで，上記穿孔部１１８が上記移動部１１９によってシート搬送方向に対して垂直方向に移動されることにより，上記シート搬送方向（矢印Ｐ１０１方向）に対して平行な上記シートＳの端から穿孔位置までの距離を調節することができる。
これにより，様々な種類のシートに応じて穿孔することができる。ここで，上記移動部１１９は，シート情報に応じて穿孔手段を移動させる移動手段に相当する。
すなわち，上記移動部１１９が利用者により入力された上記シート情報に基づいて穿孔部１１８を図８におけるシート搬送方向（矢印Ｐ１０１方向）に対して垂直方向（矢印Ｐ１０８方向，矢印Ｐ１０９方向）に移動させることが，本発明における「上記移動手段が，上記穿孔手段をシート搬送方向に対して垂直方向に移動させる」ことに相当する処理である。
【００３８】
次に，上記穿孔装置Ｘ２の上記制御部１１０によって実行される穿孔処理の手順についてその一例を説明する。
まず，上記制御部１１０により，記憶部１２２に記憶されているシート搬送量計算プログラムを使って，利用者によって操作入力部１２０により入力されたシート情報（例えば上記シートＳの種類など）と穿孔情報の組み合わせに基づいて，シート搬送量が計算される。具体例として，ここでは，上記シート情報をＡ４縦１枚，上記穿孔情報を２つの孔を形成，とする。これらの情報に基づいて上記制御部１１０は，上記シートＳの端から第１の孔が形成される位置までのシート搬送量と，第１の孔が形成される位置から第２の孔が形成される位置までのシート搬送量を計算する。すなわち，上記制御部１１０により上記記憶部１２２に記憶されているパルス数計算プログラムを使って，上記計算されたシート搬送量に基づいて，上記シートＳに形成される孔の数だけパルス数が計算される。具体的には，第１の孔が形成される位置まで上記シートＳを移動するのに必要なパルス数と，第２の孔が形成される位置まで上記シートＳを移動するのに必要なパルス数である。
【００３９】
次に，利用者によって操作入力部１２０により入力されたシート情報に基づいて，上記制御部１１０の指示により上記移動部１１９が，上記穿孔部１１８を図８におけるシート搬送方向（矢印Ｐ１０１方向）に対して垂直方向（矢印Ｐ１０８方向，矢印Ｐ１０９方向）に移動させる。具体的には，上記シート情報は，Ａ４縦であり，上記穿孔部１１８は，上記制御部１１０の指示により上記移動部１１９によって初期位置Ｃから図８におけるＰ１０８方向に移動される。すなわち，上記穿孔部１１８は，上記移動部１１９によって位置Ｄまで移動される。
続く処理は，上記実施の形態のステップＳ３０〜ステップＳ１２０までの処理と同様であるので，説明を省略する。
【００４０】
上記のように，シートＳの種類や孔の間隔，個数を変更するたびに利用者が穿孔装置に設けられた穿孔手段などの各部品の位置やシートＳの載置位置を変更しなくても，利用者は上記操作入力部１２０からシート情報や穿孔情報を入力するだけで，上記入力されたシート情報や穿孔情報に基づいて，すなわち，シートＳの種類や穿孔位置にあわせて，上記制御部１１０により上記ステッピングモータ１１６に入力される信号が制御されることによって上記搬送ローラ１１１により搬送される上記シートＳのシート搬送量を調節することができ，上記移動部１１９により上記穿孔部１１８がシート搬送方向に対して垂直方向に移動されることによってシート搬送方向に対して平行な上記シートＳの端から穿孔位置までの距離を調節することができるような構成によって，穿孔位置の変更を簡単に行うことができる穿孔装置を提供することができる。
【図面の簡単な説明】
【００４１】
【図１】本発明の実施の形態に係る画像形成装置における穿孔装置Ｘ１の概略構成を示すブロック図。
【図２】本発明の実施の形態に係る穿孔装置Ｘ１の斜視図。
【図３】本発明の実施の形態に係る穿孔装置Ｘ１の概略平面図。
【図４】本発明の実施の形態に係る穿孔装置Ｘ１の断面図。
【図５】本発明の実施の形態に係る穿孔装置Ｘ１の穿孔部１８の移動前後の概略平面図。
【図６】本発明の実施の形態に係る穿孔装置Ｘ１の穿孔部１８の移動前後の斜視図。
【図７】本発明の実施の形態に係る穿孔装置Ｘ１に設けられた制御部１０により実行される穿孔処理の手順についてその一例を説明するためのフローチャート。
【図８】実施例に係る穿孔装置Ｘ２の穿孔部１１８の移動前後の概略平面図。
【図９】実施例に係る穿孔装置Ｘ２の穿孔部１１８の移動前後の斜視図。
【符号の説明】
【００４２】
１０，１１０…制御部
１１，１２，１３，１４，１１１…搬送ローラ
１５…ベルト
１６，１１６…ステッピングモータ
１７…シート検知センサ
１８，１１８…穿孔部
１９，１１９…移動部
２０，１２０…操作入力部
２１…表示部
２２，１２２…記憶部
【図１】
2007118121.tif 000003
【図２】
2007118121.tif 000004
【図３】
2007118121.tif 000005
【図４】
2007118121.tif 000006
【図５】
2007118121.tif 000007
【図６】
2007118121.tif 000008
【図７】
2007118121.tif 000009
【図８】
2007118121.tif 000010
【図９】
2007118121.tif 000011